(57)【要約】【課題】  撮影を行う際にその撮影履歴によって撮影方法に関し各種提案を可能とし、このことにより顧客サービスの向上をはかる。【解決手段】  撮影データ出力部２が、顧客情報登録部１によって登録済みの顧客の基本情報に基づき、記憶装置（基本情報ＤＢ１４、撮影データＤＢ１５）から撮影データを読み出し出力する。撮影データ出力部２はまた、基本情報に基づき、指定された日に来店した顧客の過去の撮影データを読み出して出力装置に出力することで、来店情報から撮影データを読み出し出力する。このことにより、写真スタジオ等、店舗サイドで顧客の過去の撮影履歴を把握することができる。【選択図】      図１
2005228233.tif 000002
【特許請求の範囲】
【請求項１】
撮影データを顧客の所属するグループのメンバーを含む基本情報と共に記憶装置に登録する顧客情報登録部と、
前記基本情報に基づき前記記憶装置から前記撮影データを読み出して出力装置に出力する撮影データ出力部と、
を備えたことを特徴とする撮影データ管理装置。
【請求項２】
前記撮影データは、前記顧客に関連する人の過去の撮影データであることを特徴とする請求項１に記載の撮影データ管理装置。
【請求項３】
前記撮影データは、同じ記念日が設定されている過去の撮影データであることを特徴とする請求項１または２に記載の撮影データ管理装置。
【請求項４】
撮影データを顧客の所属するグループのメンバーを含む基本情報と共に記憶装置に登録する顧客情報登録部と、
前記基本情報に基づき、指定された日に来店した顧客の過去の撮影データを読み出して出力装置に出力する撮影データ出力部と、
を備えたことを特徴とする撮影データ管理装置。
【請求項５】
撮影データを登録して管理する撮影データの管理方法であって、
前記撮影データを顧客の所属するグループのメンバーを含む基本情報と共に記憶装置に登録するステップと、
前記基本情報に基づき前記記憶装置から前記撮影データを読み出して出力装置に出力するステップと、
を有することを特徴とする撮影データの管理方法。
【請求項６】
撮影データを登録して管理する撮影データ管理装置に用いられるプログラムであって、
前記撮影データを顧客の所属するグループのメンバーを含む基本情報と共に記憶装置に登録する処理と、
前記基本情報に基づき前記記憶装置から前記撮影データを読み出して出力装置に出力する処理と、
をコンピュータに実行させるプログラム。
【発明の詳細な説明】
【技術分野】
【０００１】
本発明は、特に、写真スタジオで用いて好適な、撮影データ管理装置およびその方法、ならびにプログラムに関する。
【背景技術】
【０００２】
写真スタジオの顧客に関する情報を一元管理するために、顧客情報に、記念日情報、予約情報、月別予約情報、写真情報、売上金情報、会員情報および集金情報等を関連させて記憶させ、例えば、記念日情報をキーに検索し、そのときに撮影した写真を添付してダイレクトメールを発送する等により写真スタジオの宣伝を行い、顧客の囲い込みをはかることのできる写真スタジオ用顧客管理装置が提案されている（例えば、特許文献１参照）。
【特許文献１】特開２００１−１８４３９８号公報
【発明の開示】
【発明が解決しようとする課題】
【０００３】
ところで、七五三、入学式、あるいは記念日等に記念撮影を行い、そこで撮影した写真を残すことが行われる。記念写真は頻繁に撮影するものではなく、一度撮影した後、次に撮影する場合には、例えば、半年、あるいは数年後に撮影することになる。
そこで、記念写真を撮影するにあたり、今回の撮影については、前回の撮影と同じ撮影風景や全く違うシチュエーションで撮影するなど、前回どのような撮影を行ったかを参考にして撮影することが、記念写真をより印象的に残したい点において望ましい。
【０００４】
本発明は上記事情に鑑みてなされたものであり、顧客が過去にどのような撮影を行ったかを把握することにより、撮影を行う際にその撮影履歴によって撮影方法に関して各種提案を可能とし、このことにより顧客サービスの向上をはかった、撮影データ管理装置およびその方法、ならびにプログラムを提供することを目的とする。
【課題を解決するための手段】
【０００５】
上記した課題を解決するために本発明の撮影データ管理装置は、撮影データを顧客の所属するグループのメンバー構成を含む基本情報と共に記憶装置に登録する顧客情報登録部と、前記基本情報に基づき前記記憶装置から前記撮影データを読み出して出力装置に出力する撮影データ出力部と、を備えたことを特徴とする。
本発明によれば、撮影データ出力部が、登録済みの基本情報に基づき記憶装置から撮影データを読み出し出力することで、写真スタジオ等店舗サイドで顧客の過去の撮影履歴を把握することができ、今回撮影時における撮影方法の提案等が可能となり、顧客に対してきめ細かなサービスを実現できる。
【０００６】
また、本発明において、前記撮影データは、前記顧客に関連する人の過去の撮影データであることを特徴とする。
本発明によれば、例えば、次男の七五三の記念撮影を行う際に、顧客である親を検索キーに、所属するグループのメンバー（例えば、家族全員）の撮影データの履歴を読み出し出力することができる。
【０００７】
また、本発明において、前記撮影データは、同じ記念日が設定されている過去の撮影データであることを特徴とする。
本発明によれば、例えば、過去の長男の七五三において撮影に使用した、背景、服装、ポーズ、小道具類を把握することができ、これにより次男の七五三の撮影を長男と同じにするか、あるいは全く異なったシチュエーションにするかを両親と相談したうえで撮影することができる。また、このとき、その履歴は店舗サイドのみが閲覧して、あるいは両親に閲覧させてもよい。なお、ここで同じ記念日は、記念日そのものが同じであれば、年度などの年が異なっていてもよい。
【０００８】
上記した課題を解決するために本発明の撮影データ管理装置は、撮影データを顧客の所属するグループのメンバーを含む基本情報と共に記憶装置に登録する顧客情報登録部と、前記基本情報に基づき、指定された日に来店した顧客の過去の撮影データを読み出して出力装置に出力する撮影データ出力部と、を備えたことを特徴とする。
本発明によれば、撮影データ出力部が、基本情報に基づき、指定された日に来店した顧客の過去の撮影データを読み出して出力装置に出力することで、来店情報から撮影データを読み出し出力することができ、このことにより、過去の撮影履歴を把握して撮影サービスが可能となるため、顧客サービスの向上と集客効果を得ることができる。
【０００９】
上記した課題を解決するために本発明は、撮影データを登録して管理する撮影データの管理方法であって、前記撮影データを顧客の所属するグループのメンバーを含む基本情報と共に記憶装置に登録するステップと、前記基本情報に基づき前記記憶装置から前記撮影データを読み出して出力装置に出力するステップと、を有することを特徴とする。
【００１０】
上記した課題を解決するために本発明は、撮影データを登録して管理する撮影データ管理装置に用いられるプログラムであって、前記撮影データを顧客の所属するグループのメンバーを含む基本情報と共に記憶装置に登録する処理と、前記基本情報に基づき前記記憶装置から前記撮影データを読み出して出力装置に出力する処理と、をコンピュータに実行させることを特徴とする。
【発明を実施するための最良の形態】
【００１１】
図１は、本発明の撮影データ管理装置の一実施形態を示すブロック図である。本発明の撮影データ管理装置を機能的に大別すれば、顧客情報登録部１と、撮影データ出力部２と、イベント検索部３と、来店履歴出力部４で構成される。
顧客情報登録部１は、撮影データを顧客の所属するグループのメンバーを含む基本情報と共に記憶装置に登録する機能を持ち、基本情報登録部１１と、撮影データ登録部１２と、記念日候補データ演算部１３と、基本情報ＤＢ（Data Base）１４と、撮影データＤＢ１５で構成される。なお、ここでは、所属するグループのメンバーの一例として、家族である場合について説明する。
【００１２】
基本情報登録部１１は、図２（ａ）に基本情報ＤＢ１４のデータ構造の一例として示されるように、店舗サイドから入力される顧客の基本情報である、顧客番号、住所、氏名、性別、生年月日、年齢、電話番号、結婚記念日、来店日、家族構成の各データ項目について取り込み、記憶装置である基本情報ＤＢ１４に登録する。なお、基本情報のうちの家族構成データは、名前、性別、生年月日、年齢、記念日等から成り、この記念日については、記念日候補データ演算部１３が、家族の生年月日情報に基づき、七五三、入学式、卒業式、成人式、米寿など年齢に応じて決定される記念日の候補を演算により生成して基本情報ＤＢ１４に登録する。
また、撮影データ登録部１２は、図２（ｂ）に撮影データＤＢ１５のデータ構造の一例として示されるように、顧客番号により基本情報ＤＢ１４の各エントリとリンクされ、顧客毎、撮影日とその撮影データ（画像）から成り、撮影の都度登録される。
【００１３】
一方、撮影データ出力部２は、基本情報に基づき記憶装置（撮影データＤＢ１５）から撮影データを読み出し、表示装置等の出力装置に出力する。また、基本情報に基づき、指定された日に来店した顧客の過去の撮影データを読み出して出力装置に出力する。
イベント検索部３は、記念日をキーに記憶装置（基本情報ＤＢ１４）を検索し、記念日を候補とする顧客を検索出力する機能を持つ。また、来店履歴出力部４は、来店履歴出力要求が発せられたときに基本情報ＤＢ１４を検索して来店日毎に昇順にソートしてその顧客の来店履歴を生成出力する機能を持つ。また、その来店履歴のうち、顧客名欄がクリックされることにより、撮影データ出力部２を起動して撮影データＤＢ１５からその顧客の過去の撮影データを検索出力することも可能である。
【００１４】
図３は、図１、図２に示す本発明実施形態の動作を示すフローチャートであり、本発明のプログラムの処理手順も併せて示している。
図４〜図６は、本発明実施形態で使用される出力装置による画面構成の一例を示す図であり、メニュー画面（図４）、顧客情報編集画面（図５）、来店予約管理画面（図６）のそれぞれを示す。
以下、図３〜図６を参照しながら、図１、図２に示す本発明実施形態の動作について詳細に説明する。
【００１５】
図４にメニュー画面構成の一例が示されている。店舗サイドでは、メニュー画面に割付けられている、「顧客登録・編集」ボタン５１、「イベント検索」ボタン５２、「来店予約管理」ボタン５３、「終了」ボタン５４のいずれかを押す（クリック）ことで以降の処理が開始される。
まず、「顧客登録・編集」ボタン５１が押下されると（Ｓ３１「登録」）、顧客登録・編集画面が表示される。
店舗の操作者によって、画面上に表示されるデータ入力項目に従い、顧客によって明示される、住所、氏名、性別、生年月日、年齢、電話番号、結婚記念日、来店日、家族構成の各データ項目がキーボード等の入力装置から入力される。このとき、基本情報登録部１１は、顧客番号を自動生成し、先に入力され取り込まれたデータ項目と共に基本情報ＤＢ１４に登録する（Ｓ３２）。なお、ここで、記念日候補データ演算部１３は、家族構成中、家族毎の生年月日の入力データに基づいて（Ｓ３３）、当該生年月日から家族毎記念日候補となるデータを演算によって生成し、基本情報ＤＢ１４の該当データ項目に登録する（Ｓ３４）。
なお、ここでは基本情報は撮影データと共に登録されることとするが、撮影データ登録部１２は、顧客番号さえリンクさせれば撮影データの登録をどんなタイミングで撮影データＤＢ１５に登録しても構わない（Ｓ３５）。
【００１６】
次に、「イベント検索」ボタン５２が押下されると（Ｓ３１「検索」）、検索条件入力画面が表示され、ここに検索キーワード、例えば、七五三、入学式、卒業式、結婚等、記念日となるイベント名が入力される。
イベント検索部３は、入力されたそのイベント名を取り込み、基本情報ＤＢ１４を検索する。その検索結果は、撮影データ出力部２によりイベントに従い、その家族の過去の撮影データの全てが読み出され、出力装置へ表示のために出力する（Ｓ３９）。更に、顧客名の入力が促され、ここで顧客名が入力されると（Ｓ３７）、撮影データ出力部２は、過去の全ての撮影データ履歴を読み出して出力するか、あるいは、同イベントの家族の撮影データ履歴を読み出して出力する（Ｓ３８）。
【００１７】
具体的に、基本情報ＤＢ１４には、顧客である親（父、母のうち、すくなくともいずれか一方）をキーに、家族となる他の顧客（例えば、その長男、次男、長女、祖母、祖父等）が関連付けられて登録されている。そこで、次男の七五三の記念撮影を行う際には、その次男の親（顧客番号）を検索キーにして他の家族の撮影データを読み出して表示画面上に出力する。
このとき、過去の全ての撮影データ履歴を読み出して表示するか、あるいは今回の撮影が次男の七五三であったため、同じ記念日である七五三であって、その家族の撮影データ履歴を読み出して表示する。このことにより、店舗サイドで、長男の場合は、例えば、背景色が何（水色、グレー、白等）で、服装がどんなものであったか（和服か洋服か、洋服の場合帽子を被っていたか等）、手にもった小道具は何（千歳飴か他のものか）であったか、どんなポーズ（立っていた、椅子に座っていた等）で撮影したか等を簡単に把握できる。これにより、店舗サイドでは、長男の撮影環境を参考に、次男の撮影をどのようなシチュエーションで撮影するか、今回も同じか、あるいは一部または全てを変更して撮影するかを両親と相談しながら撮影できる。
【００１８】
なお、このとき、画面に表示される履歴は、店舗サイドでのみ、あるいは両親に閲覧させても良い。また、記念日が異なる過去の撮影データを参照してもよい。例えば、七五三、入学式、卒業式、成人式、結婚式、家族写真等が表示される他、その顧客の基本情報も合わせて表示される。図５にその画面構成の一例が示されている。
更に、図６に一例が示されるように、来店情報を表示することもできる。すなわち、図４に示すメニュー画面のうち、「来店予約管理」ボタン５３をクリックすると（Ｓ３１）、来店顧客名入力画面が出現し、その顧客名の入力が促される。ここで、店舗サイドが顧客名を入力することで来店履歴出力部４が起動し、来店履歴出力部４は、来店顧客名を取り込んで基本情報ＤＢ１４を検索し、来店履歴を出力する（Ｓ４０、Ｓ４１）。
【００１９】
そして、このうちの顧客名欄をクリックすれば（Ｓ４２）、撮影データ出力部２に制御が移り、撮影データ出力部２は、撮影データＤＢ１５を検索して該当顧客の過去の撮影データを画面右上に表示する（Ｓ４３）。ここで、来店履歴は、当日、もしくはキー入力された日付に予約された顧客が撮影順に来店履歴として表示され、その来店履歴のうち、一人の顧客の氏名欄をクリックすることで図６に示す撮影データが表示されるものとする。
最後にメニュー画面の「終了」ボタン５４押下により、撮影データ管理処理が終了する。
【００２０】
以上説明のように本発明は、顧客が過去にどのような撮影を行ったかを把握することにより、今回撮影を行う際にその撮影履歴によっていろいろな提案を可能とし、このことにより顧客サービスの向上をはかったものであり、撮影データ出力部２が、顧客情報登録部１により登録済みの基本情報に基づき記憶装置（基本情報ＤＢ１４、撮影データＤＢ１５）から撮影データを読み出し出力することで、写真スタジオ等、店舗サイドで顧客の過去の撮影履歴を把握するものであり、今回撮影時における撮影方法の提案等が可能となり、顧客に対してきめ細かなサービスを実現するものである。
【００２１】
また、本発明によれば、記念日候補データ演算部１３が、基本情報から家族の生年月日情報に基づき記念日の候補を生成することでその記念日候補が基本情報ＤＢ１４に自動的に登録され、イベント検索部３が基本情報ＤＢ１４を検索してその記念日を候補とする顧客を出力することで、その顧客に対して宣伝等を行うことができる。
更に、本発明によれば、撮影データ出力部２が、基本情報に基づき、指定された日に来店した顧客の過去の撮影データを読み出して出力装置に出力することで、来店情報から撮影データを読み出し出力することができ、このことにより、過去の撮影履歴を把握して撮影サービスが可能となるため、顧客サービスの向上と集客効果を得ることができる。
【００２２】
なお、上述した実施形態においては、所属するグループのメンバーが家族である場合について説明したが、共通性のあるグループであれば、例えば、会社の社員、学校のサークルなど、家族以外に適用するようにしてもよい。なお、所属するグループのメンバーが家族以外である場合には、記念日を「設立○年目」、「入社式」など、適宜変更するようにしてもよい。
【００２３】
なお、図１に示す、顧客情報登録部１、撮影データ出力部２、イベント検索部３、来店履歴出力部４、基本情報登録部１１、撮影データ登録部１２、記念日候補データ演算部１３のそれぞれで実行される手順をコンピュータ読み取り可能な記録媒体に記録し、この記録媒体に記録されたプログラムをコンピュータシステムに読み込ませ、実行することによって本発明の撮影データ管理装置を実現することができる。ここでいうコンピュータシステムとは、ＯＳや周辺機器等のハードウェアを含む。
【００２４】
また、「コンピュータシステム」は、ＷＷＷシステムを利用している場合であれば、ホームページ提供環境（あるいは表示環境）も含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【００２５】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００２６】
【図１】本発明の一実施形態を示すブロック図である。
【図２】本実施形態の記憶装置のデータ構造例を示す図である。
【図３】本発明実施形態の動作を示すフローチャートである。
【図４】本実施形態のメニュー画面の一例を示す図である。
【図５】本実施形態の画面構成の一例を示す図である。
【図６】本実施形態の画面構成の一例を示す図である。
【符号の説明】
【００２７】
１…顧客情報登録部、２…撮影データ出力部、３…イベント検索部、４…来店履歴出力部、１１…基本情報登録部、１２…撮影データ登録部、１３…記念日候補データ演算部、１４…基本情報ＤＢ、１５…撮影データＤＢ
【図１】
2005228233.tif 000003
【図２】
2005228233.tif 000004
【図３】
2005228233.tif 000005
【図４】
2005228233.tif 000006
【図５】
2005228233.tif 000007
【図６】
2005228233.tif 000008